(57)【要約】      （修正有）【課題】サイズの異なる携帯無線機のいずれも容易に収納できる携帯無線機用ケースを提供する。【解決手段】ケース３０は、柔軟性材料を用いて有底角筒状に形成されており、前面部３１と、背面部３２と、右側面部３３と、左側面部３４と、底面部３９とで構成されている。そして、背面部３２上方に設けられた第１開口部４２の下端部４２ａは、前面部３１に設けられた前面孔４１の上端部４１ａより上方に位置するよう、また、背面部３２下方に設けられた第２開口部４６の上端部４６ａは前面孔４１の下端部４１ｂより下方に位置するよう、前面孔４１と第１開口部４２と第２開口部４６の大きさおよび配置が決められている。これにより、ケースの前面部３１もしくは背面部３２のうちいずれか一方に面がある箇所に対応する他方には孔や開口部を備えるので、ケース３０が変形しやすくなっている。【選択図】図３
2014060522.tif 000002
【特許請求の範囲】
【請求項１】
柔軟性材料で有底角筒状に形成された携帯無線機用ケースであって、
前記携帯無線機用ケースの前面には、前記携帯無線機の表示部と操作部とを露出させるための前面孔が左右両端まで設けられ、
前記携帯無線機用ケースの背面には、上端が開口された第１開口部が左右両端まで設けられ、
前記携帯無線機用ケースの下部背面側の角隅には、下方に向けて開口された第２開口部が設けられ、
前記第１開口部の下端部は前記前面孔の上端部より下方に位置するとともに、前記第２開口部の上端部は前記前面孔の下端部より上方に位置することを特徴とする携帯無線機用ケース。
【請求項２】
前記携帯無線機用ケースは、同携帯無線機用ケースの一の側面上端部から他の側面部に向かって前記携帯無線機用ケースの背面側を架け渡すように配置される帯状のバンドを備えたことを特徴とする請求項１に記載の携帯無線機用ケース。
【請求項３】
前記携帯無線機の背面部下方にはバッテリ充電用の充電用端子が設けられ、
前記端子用孔は、前記携帯無線機を前記携帯無線機用ケースに収納した際に、前記充電用端子を露出させることを特徴とする請求項１または請求項２に記載の携帯無線機用ケース。
【発明の詳細な説明】
【技術分野】
【０００１】
本発明は、携帯無線機を保護するための携帯無線機用ケースに関し、特に、複数のサイズの携帯無線機を収納できる携帯無線機用ケースに関する。
【背景技術】
【０００２】
携帯無線機には容量の異なる複数の電池パックを装着できるものがある。このような携帯無線機では、装着するバッテリによって携帯無線機の形状やサイズが変わるので、携帯無線機を保護するための携帯無線機用ケースとして各電池パックに応じた形状や寸法としたものを複数用意する必要がある。
【０００３】
そこで、特許文献１では、１つの携帯無線機用ケースで、サイズの異なる複数の電池パックを取り付けた携帯無線機のいずれも収納できるものが提案されている。特許文献１に記載の携帯無線機用ケースは、剛性を有する板で形成された背板と、皮革や合成樹脂等の柔軟性材料で形成されたケース本体とで構成されており、背板の内側と外側に４列に渡ってホックが設けられるとともに、ケース本体の両端部に上記ホックと係合する係合部が設けられている。そして、背板とケース本体とを組み付ける際は、背板のホックの内側／外側を適宜選択して係合部と連結することで、携帯無線機用ケースの収容積を変化させることができ、携帯無線機に厚みの異なる２種類の電池パックのいずれかが取り付けられても、携帯無線機用ケースに携帯無線機が収納できるようになっている。
【先行技術文献】
【特許文献】
【０００４】
【特許文献１】特開２０００−３０７２５５号公報（第２頁、第１図）
【発明の概要】
【発明が解決しようとする課題】
【０００５】
しかし、特許文献１に記載の携帯無線機用ケースでは、取り付ける電池パックによって携帯無線機のサイズが異なる度に、背板のホック（の内側／外側）を選択して係合部との連結をやり直す必要があり、使用者にとってはその作業が面倒であるという問題があった。
【０００６】
本発明は以上述べた問題点を解決し、サイズの異なる携帯無線機のいずれも容易に収納できる携帯無線機用ケースを提供することを目的とする。
【課題を解決するための手段】
【０００７】
本発明は上述の課題を解決するものであって、本発明の携帯無線機用ケースは、柔軟性材料で有底角筒状に形成されたものであり、携帯無線機用ケースの前面には、携帯無線機の表示部と操作部とを露出させるための前面孔が左右両端まで設けられ、携帯無線機用ケースの背面には、上端が開口された第１開口部が左右両端まで設けられ、携帯無線機用ケースの下部背面側の角隅には、下方に向けて開口された第２開口部が設けられたものである。そして、第１開口部の下端部は前面孔の上端部より下方に位置するとともに、第２開口部の上端部は前面孔の下端部より上方に位置するものである。
【発明の効果】
【０００８】
本発明の携帯無線機用ケースは、柔軟性材料で有底角筒状に形成され、携帯無線機用ケースの前面もしくは背面のうちいずれか一方に面がある箇所に対応する他方には孔や開口部を備えているので、携帯無線機用ケースが変形しやすくなっている。従って、サイズの異なる電池パックを装着することで携帯無線機のサイズが異なっても、携帯無線機用ケースの状態（形状）を変更することなく携帯無線機を容易に携帯無線機用ケースに収納することができる。
【図面の簡単な説明】
【０００９】
【図１】本発明の実施例における、容量（サイズ）が小さい電池パックを装着した携帯無線機の外観図および要部断面図である。
【図２】本発明の実施例における、容量（サイズ）が大きい電池パックを装着した携帯無線機の外観図および要部断面図である。
【図３】本発明の実施例における、携帯無線機用ケースの外観図である。
【図４】容量が小さい電池パックを装着した携帯無線機を携帯無線機用ケースに収容する際の手順図である。
【図５】容量が大きい電池パックを装着した携帯無線機を携帯無線機用ケースに収容する際の手順図である。
【図６】各電池パックを装着した携帯無線機を携帯無線機用ケースに収納した状態図である。
【発明を実施するための形態】
【００１０】
以下、本発明の実施の形態を、添付図面に基づいて詳細に説明する。尚、本発明は以下の実施形態に限定されることはなく、本発明の主旨を逸脱しない範囲で種々変形することが可能である。
【実施例】
【００１１】
図１および図２は携帯無線機の外観図であり、図１は後述する第１電池パック１１ａを装着した携帯無線機１ａを、図２は後述する第２電池パック１１ｂを装着した携帯無線機１ｂを、それぞれ示している。各図において、（Ａ）は正面図、（Ｂ）は右側面図、（Ｃ）は背面図、（Ｅ）は正面斜め右から見た斜視図である。また、図１（Ｄ）は同図（Ａ）におけるＡ−Ａ線に沿った内部を省略した断面図、図２（Ｄ）は同図（Ａ）におけるＢ−Ｂ線およびＣ−Ｃ線に沿った各々内部を省略した断面図である。
【００１２】
以下に、本発明の携帯無線機用ケースに収納される携帯無線機１ａ、１ｂについて詳細に説明する。携帯無線機１ａ、１ｂは、無線機本体２と上述したそれぞれの電池パックからなり、無線機本体２については携帯無線機１ａ、１ｂで同じ物であるため、まずは図１を用いて無線機本体２について説明する。尚、以下の説明において、上下、左右、前後等の方向を示す表現は、図１（Ａ）や図２（Ａ）に示す正面図を基準にしている。また、図１と図２とでは、異なる部品以外は同じ番号を付している。
【００１３】
図１に示すように、無線機本体２の筐体は、前面カバー１０と背面カバー１２とで構成されている。前面カバー１０は、合成樹脂材で形成されており、図１（Ａ）および（Ｂ）に示すように、携帯無線機１ａの筐体前面、左右側面の一部（前方側）、および上下面の一部（前方側）を構成している。また、背面カバー１２は、合成樹脂材で形成されており、図１（Ｂ）および（Ｃ）に示すように、携帯無線機１ａの筐体背面上部、左右側面の後方側上部、および上面の残部（後方側）を構成している。
【００１４】
前面カバー１０の前面略中央部には、液晶画面からなる表示部１７が備えられており、表示部１７の上方には音声出力部１６が、表示部１７の下方には機能切り換え等を行うための操作部１８が、それぞれ備えられている。また、図１（Ｂ）および（Ｅ）に示すように、前面カバー１０の右側面上方には、マイク等の外部機器を接続する外部機器接続部１９が設けられている。また、図１（Ａ）および（Ｃ）に示すように、前面カバー１０の左側面上方には、送受信の際のバンド幅の切り換え等を行うための側面操作部２１が設けられている。
【００１５】
また、無線機本体２の筐体上面には、アンテナ１３と、電源のオンオフおよびボリューム調整を行う電源つまみ１４と、無線チャンネルの切り替えを行うチャンネル切替つまみ１５とが設けられている。
【００１６】
次に、図１および図２を用いて、第１電池パック１１ａおよび第２電池パック１１ｂについて説明する。第１電池パック１１ａおよび第２電池パック１１ｂは、合成樹脂材で形成されたケース内に充電電池が格納されたものであり、各々が上述した無線機本体２に着脱可能となっている。
【００１７】
第１電池パック１１ａは、図１（Ｂ）および（Ｃ）に示すように、無線機本体２の背面側に装着され、携帯無線機１ａの筐体背面下部、左右側面の後方側下部、および下面の残部（後方側）を構成している。第１電池パック１１ａは、厚さ寸法がＤｐａとされている。第１電池パック１１ａの背面下方には携帯無線機１ａを充電器（図示なし）に装着した際に充電器に備えられた給電端子と接触する充電端子２０ａが設けられている。
【００１８】
第２電池パック１１ｂは、図２（Ｂ）および（Ｃ）に示すように、無線機本体２の背面側に装着され、携帯無線機１ｂの筐体背面下部、左右側面の後方側下部、および下面の残部（後方側）を構成している。第２電池パック１１ｂには、第１電池パック１１ａに格納されている充電電池よりも容量およびサイズの大きい充電電池が格納されており、その厚さ寸法が第１電池パック１１ａの厚さ寸法Ｄｐａより大きいＤｐｂとされている。第２電池パック１１ｂの背面下方には、第１電池パック１１ａと同様に充電端子２０ｂが設けられている。また、第２電池パック１１ｂの背面における充電端子２０ｂが配置された箇所を除く左右の角部には、テーパ１１ｂ１が設けられている。
【００１９】
以上説明した第１電池パック１１ａを無線機本体２に装着した携帯無線機１ａでは、図１（Ｂ）および（Ｄ）に示すように、その奥行寸法Ｄａとなり、第２電池パック１１ｂを無線機本体２に装着した携帯無線機１ｂでは、図２（Ｂ）および（Ｄ）に示すように、その奥行寸法Ｄｂとなる。前述したように、第２電池パック厚さ寸法Ｄｐｂは第１電池パック厚さ寸法Ｄｐａより大きいので、携帯無線機１ｂの奥行寸法Ｄｂは携帯無線機１ａの奥行寸法Ｄａより大きくなる。
【００２０】
しかし、第２電池パック１１ｂの背面における充電端子２０ｂが配置された箇所を除く左右の角部にはテーパ１１ｂ１が設けられているので、図１（Ｄ）に示す第１電池パック外周寸法Ｌａに比べて図２（Ｄ）に示す第２電池パック外周寸法Ｌｂは大きくなるものの、両者の寸法差は、第１電池パック外周寸法Ｌａと第２電池パック１１ｂの充電端子２０ｂが配置された箇所における外周寸法Ｌｃとの寸法差よりも小さくなる。従って、携帯無線機１ａの水平方向の外周寸法とテーパ１１ｂ１が設けられた箇所の携帯無線機１ｂの水平方向の外周寸法との寸法差も小さくなっている。
【００２１】
次に、本発明の一実施形態を示す携帯無線機用ケースであるケース３０について図３を用いて説明する。図３は、ケース３０の外観図であり、（Ａ）は正面図、（Ｂ）は右側面図、（Ｃ）は背面図、（Ｄ）は正面斜め右から見た斜視図、（Ｅ）は（Ｄ）において後述するバンド３６を外した状態を示す図である。
【００２２】
ケース３０は、皮革や塩化ビニール等の軟質合成樹脂材といった柔軟性材料を用いて有底角筒状に形成され、図３（Ｄ）に示すように、前面部３１と、背面部３２と、右側面部３３と、左側面部３４と、底面部３９とからなり、ケース３０の上面部は開口されて、携帯無線機１ａ、１ｂをケース３０に収納する際の挿入口４０となっている。
【００２３】
前面部３１の略中央部には、図３（Ａ）、（Ｄ）および（Ｅ）に示すように、ケース３０に携帯無線機１ａ、１ｂを収納した際に表示部１７や操作部１８を露出させるための矩形状の前面孔４１が左右両端まで設けられている。また、前面孔４１の上方には、ケース３０に携帯無線機１ａ、１ｂを収納した際にその音声出力部１６から発せられる音声を通過させるための多数の丸孔からなる通音部３５が設けられている。
【００２４】
背面部３２の略中央部には、図３（Ｃ）に示すように、ケース３０に携帯無線機１ａ、１ｂを収納した際に、携帯無線機１ａ、１ｂを使用者の衣服のベルト等に装着するための図示しないクリップ等を露出させるための背面孔４３が設けられている。また、背面孔４３の上方には、上方が開放された矩形状の第１開口部４２が左右両端まで設けられている。
【００２５】
ケース３０の下部背面側の両角隅には、図３（Ｃ）に示すように、背面部３２の下方両端部と、右側面部３３および左側面部３４の下方背面側と、底面部３９の背面側両端部とを、各々所定の寸法で切り欠いて形成された第２開口部４６が設けられており、ケース３０に携帯無線機１ａ、１ｂを収納した際に、充電用端子２０ａ、２０ｂが第２開口部４６から露出するようになっている。
【００２６】
右側面部３３の上部には、図３（Ｂ）、（Ｄ）および（Ｅ）に示すように、ケース３０に携帯無線機１ａ、１ｂを収納した際にその外部機器接続部１９を露出させるための、上方が開放された矩形状の第３開口部４４が設けられている。
【００２７】
左側面部３４の上部には、図３（Ｄ）および（Ｅ）に示すように、ケース３０に携帯無線機１ａ、１ｂを収納した際にその側面操作部２１を露出させるための矩形状の左側面孔４５が設けられている。
【００２８】
以上説明したように、ケース３０の前面孔４１、通音部３５、第３開口部４４、左側面孔４５、背面孔４３、第１開口部４２、および、第２開口部４６は、各々対応する携帯無線機１ａ、１ｂの各部に応じた配置となっている。また、図３（Ｃ）に示すように、第１開口部４２の下端部４２ａは前面孔４１の上端部４１ａより下方に位置するよう、また、第２開口部４６の上端部４６ａは前面孔４１の下端部４１ｂより上方に位置するよう、前面孔４１と第１開口部４２と第２開口部４６の大きさおよび配置が決められている。
【００２９】
また、ケース３０には、ケース３０と同じ柔軟性材料で帯状に形成されたバンド３６が設けられている。バンド３６は、図３（Ｅ）に示すように、一端が左側面部３４の上部背面側に固定されており、他端には２個の第１ホック３７が設けられている。右側面部３３上部の第３開口部４４の両側には、第１ホック３７と嵌合する第２ホック３８が設けられており、第１ホック３７を第２ホック３８に嵌合させることで、バンド３６をケース３０の背面側を架け渡すようにして右側面部３３に固定することができる。バンド３６を右側面部３３に固定していないときは、挿入口４０におけるケース３０が変形しやすい状態となる。また、バンド３６を右側面部３３に固定したときは、第１開口部４２および第３開口部４４がバンド３６により閉じられる。
【００３０】
次に、図４乃至図６を用いて、携帯無線機１ａ、１ｂをケース３０に収納する方法及び収納された状態について説明する。図４は携帯無線機１ａをケース３０に収納する手順を説明する図面、図５は携帯無線機１ｂをケース３０に収納する手順を説明する図面であり、各図面において（Ａ）は収納前の状態、（Ｂ）は収納途中の状態、（Ｃ）は収納が完了した状態を各々示している。また、図６は携帯無線機１ａ、１ｂをケース３０に収納した状態の説明図であり、（Ａ）〜（Ｃ）が順に携帯無線機１ａをケース３０に収納した状態の正面図、右側面図、背面図を示し、（Ｄ）〜（Ｆ）が順に携帯無線機１ｂをケース３０に収納した状態の正面図、右側面図、背面図を示している。
【００３１】
まずは、図４および図６（Ａ）〜（Ｃ）を用いて、携帯無線機１ａをケース３０に収納する方法及び収納された状態について説明する。図４（Ａ）に示すように、携帯無線機１ａをケース３０の挿入口４０の上方に移動させて、携帯無線機１ａのケース３０への収納を開始する。このとき、携帯無線機１ａの姿勢は、ケース３０の前面部３１や背面部３２に対して略平行とする。
【００３２】
次に、図４（Ｂ）に示すように、携帯無線機１ａの下端部を挿入口４０に合わせてケース３０への挿入を開始し、携帯無線機１ａの下面がケース３０の底面部３９に到達するまで挿入していく。そして、図４（Ｃ）に示すように、携帯無線機１ａの下面がケース３０の底面部３９に到達すれば、第１ホック３７を第２ホック３８に嵌合させてバンド３６を右側面部３３に固定し、携帯無線機１ａのケース３０への収納が完了する。
【００３３】
携帯無線機１ａのケース３０への収納が完了した状態では、図６（Ａ）に示すように、ケース３０の前面孔４１から携帯無線機１ａの表示部１７および操作部１８が露出している。また、図示は省略しているが、左側面孔４５から側面操作部２１が露出している。従って、使用者は携帯無線機１ａをケース３０から取り出すことなく、表示部１７の視認や操作部１８および側面操作部２１の操作を行える。
【００３４】
また、図６（Ｂ）に示すように、ケース３０の第３開口部４４から外部機器接続部１９が露出しているので、使用者は携帯無線機１ａをケース３０から取り出すことなく、図示しない外部機器の脱着が行える。また、使用者が携帯無線機１ａをケース３０に挿入するときは、図４（Ａ）に示すように、第３開口部４４がバンド３６によって閉じられていないので、外部機器を外部機器接続部１９に接続したまま携帯無線機１ａのケース３０へ挿入することができる。さらには、携帯無線機１ａをケース３０に挿入した後にバンド３６を固定することによって第３開口部４４が閉じられるので、外部機器と外部機器接続部１９との接続箇所がバンド３６に引っ掛かって携帯無線機１ａのケース３０からの抜け止めとなる。
【００３５】
また、図６（Ｃ）に示すように、ケース３０の第２開口部４６から充電用端子２０ａが露出しているので、携帯無線機１ａをケース３０に収納したまま図示しない充電器に携帯無線機１ａをセットすることができる。従って、使用者が第１電池パック１１ａの充電を行うときに、携帯無線機１ａをケース３０から取り出す必要がない。
【００３６】
次に、図５および図６（Ｄ）〜（Ｆ）を用いて、携帯無線機１ｂをケース３０に収納する方法および収納された状態について説明する。前述したように、携帯無線機１ｂは第１電池パック１１ａより容量・サイズの大きい充電電池を格納した第２電池パック１１ｂが装着されているので、前述したように、携帯無線機１ｂの奥行寸法Ｄｂは携帯無線機１ａの奥行寸法Ｄａより大きくなっている。
【００３７】
従って、携帯無線機１ｂのケース３０への収納を開始するときは、図４（Ａ）に示す携帯無線機１ａの場合のように、携帯無線機１ｂの姿勢をケース３０に対して略平行となるようにすれば、携帯無線機１ａの場合に比べて、ケース３０の挿入口４０から携帯無線機１ｂを挿入する作業がやりづらくなる。そこで、図５（Ａ）に示すように、携帯無線機１ｂをケース３０へ挿入する際には、携帯無線機１ｂの上方を後方に向けて傾けて、携帯無線機１ｂの姿勢をケース３０に対して斜めとなるようにしてケース３０への挿入を開始する。
【００３８】
このとき、図５（Ｂ）に示すように、第２電池パック１１ｂのテーパ１１ｂ１をケース３０の第１開口部４２に合わせて、携帯無線機１ｂのケース３０への挿入を開始するので、奥行寸法Ｄｂが大きい携帯無線機１ｂであってもケース３０への挿入開始がスムーズに行える。また、携帯無線機１ｂの下面前端がケース３０の前面孔４１から少し突き出た状態となるので、携帯無線機１ｂの奥行寸法Ｄｂが大きくても第２電池パック１１ｂの充電端子２０ｂが設けられた箇所はケース３０内に容易に挿入できる。
【００３９】
次に、図５（Ｂ）および（Ｃ）に示すように、携帯無線機１ｂをケース３０に挿入していく途中で、携帯無線機１ｂの下面前端がケース３０の前面孔４１の下端部４１ｂに当たる前に、携帯無線機１ｂがケース３０に対して略平行となるように携帯無線機１ｂの傾きを修整し、このままの状態で挿入を続ける。
【００４０】
前述したように、第２電池パック１１ｂにはテーパ１１ｂ１が設けられており、第２電池パック外周寸法Ｌｂと第１電池パック外周寸法Ｌａとの寸法差が小さくなっているので、携帯無線機１ａの水平方向の外周寸法と携帯無線機１ｂの水平方向の外周寸法との寸法差が小さくなっている。また、携帯無線機１ｂのケース３０への挿入に伴ってケース３０が携帯無線機１ｂの形状に応じて変形するが、このとき、第２電池パック１１ｂに設けたテーパ１１ｂ１の働きによってケース３０の形状、特にケース３０の背面側の形状が携帯無線機１ｂの形状に追随しやすくなっている。従って、第２電池パック１１ｂの充電端子２０ｂを設けられた箇所がケース３０にスムーズに挿入することができる。
【００４１】
そして、携帯無線機１ｂの下面がケース３０の底面部３９に到達すれば、第１ホック３７を第２ホック３８に嵌合させてバンド３６を固定し、携帯無線機１ｂのケース３０への収納が完了する。ケース３０へ携帯無線機１ｂが収納された状態では、第２電池パック１１ｂの充電端子２０ｂが設けられている箇所が第２開口部４６から露出し、また、これ以外の第２電池パック１１ｂの背面側は、第１電池パック１１ａと略同じ外周寸法となるよう設けたテーパ１１ｂ１にケース３０の背面側形状が沿うので、ケース３０へ携帯無線機１ｂが無理なく収まる。
【００４２】
前述したように、ケース３０において、第１開口部４２の下端部４２ａは前面孔４１の上端部４１ａより下方に位置するよう、また、第２開口部４６の上端部４６ａは前面孔４１の下端部４１ｂより上方に位置するよう、前面孔４１と第１開口部４２と第２開口部４６の大きさおよび配置が決められている。これにより、ケース３０の前面部３１もしくは背面部３２のうちいずれか一方に面がある箇所に対応する他方には孔や開口部が備えられることとなって、ケース３０の上端である挿入口４０から底面部３９に渡って環状になっている箇所がなくなるので、ケース３０が変形しやすくなっている。
【００４３】
以上説明したように、ケース３０自体が変形しやすい形状とされているとともに、ケース３０の変形が携帯無線機１ｂの形状に追随しやすいように第２電池パック１１ｂの形状を定めているので、携帯無線機１ａよりサイズの大きい携帯無線機１ｂをケース３０に収納する際も携帯無線機１ａをケース３０に挿入する際と同様に容易に収納することができる。
【００４４】
携帯無線機１ｂのケース３０への収納が完了した状態では、図６（Ｄ）に示すように、ケース３０の前面孔４１から携帯無線機１ｂの表示部１７および操作部１８が露出している。また、図示は省略しているが、左側面孔４５から側面操作部２１が露出している。従って、使用者は携帯無線機１ｂをケース３０から取り出すことなく、表示部１７の視認や操作部１８および側面操作部２１の操作が行える。
【００４５】
また、図６（Ｅ）に示すように、ケース３０の第３開口部４４から外部機器接続部１９が露出しているので、使用者は携帯無線機１ｂをケース３０から取り出すことなく、図示しない外部機器の脱着が行える。また、使用者が携帯無線機１ｂのケース３０への挿入する時は、図５（Ａ）に示すように、第３開口部４４がバンド４６によって閉じられていないので、外部機器を外部機器接続部１９に接続したまま携帯無線機１ｂのケース３０への挿入が行える。さらには、携帯無線機１ｂをケース３０に挿入した後にバンド３６を固定することによって第３開口部４４の上方が閉じられるので、外部機器と外部機器接続部１９との接続箇所がバンド３６に引っ掛かって携帯無線機１ｂのケース３０からの抜け止めとなる。
【００４６】
また、図６（Ｆ）に示すように、ケース３０の第２開口部４６から充電用端子２０ｂが露出しているので、携帯無線機１ｂをケース３０に収納したまま図示しない充電器に携帯無線機１ｂをセットすることができる。従って、使用者が第２電池パック１１ｂの充電を行うときに、携帯無線機１ｂをケース３０から取り出す必要がない。
【００４７】
以上説明した通り、本発明の携帯無線機用ケースは、柔軟性材料で有底角筒状に形成され、携帯無線機用ケースの前面もしくは背面のうちいずれか一方に面がある箇所に対応する他方には孔や開口部を備えているので、携帯無線機用ケースが変形しやすくなっている。従って、サイズの異なる電池パックを装着することで携帯無線機のサイズが異なっても、携帯無線機用ケースの状態（形状）を変更することなく携帯無線機を容易に携帯無線機用ケースに収納することができる。
【符号の説明】
【００４８】
１ａ、１ｂ  携帯無線機
２  無線機本体
１１ａ  第１電池パック
１１ｂ  第２電池パック
１１ｂ１  テーパ
２０ａ、２０ｂ  充電端子
３０  ケース
３１  前面部
３２  背面部
３６  バンド
３９  底面部
４０  挿入口
４１  前面孔
４１ａ  上端部
４１ｂ  下端部
４２  第１開口部
４２ａ  下端部
４３  背面孔
４６  第２開口部
４６ａ  上端部
Ｄａ、Ｄｂ  奥行寸法
Ｄｐａ  第１電池パック厚さ寸法
Ｄｐｂ  第２電池パック厚さ寸法
Ｌａ  第１電池パック外周寸法
Ｌｂ  第２電池パック外周寸法
Ｌｃ  第２電池パック充電端子部外周寸法
【図１】
2014060522.tif 000003
【図２】
2014060522.tif 000004
【図３】
2014060522.tif 000005
【図４】
2014060522.tif 000006
【図５】
2014060522.tif 000007
【図６】
2014060522.tif 000008